(57)【要約】【課題】遠距離の受取人などに写真プリントを送る際に、郵便や宅配便で送る手間や費用が不要であり、かつプリント注文から写真プリントの受取りまでの時間の短縮化を図る。【解決手段】各地に設置されたプリント装置１０、１０Ａ、１０Ｂ、…は、ネットワーク１２を介して通信可能に接続されている。これらのプリント装置のうちの或るプリント装置１０Ａで画像情報とともに、写真プリントの受取人の住所、電話番号、メールアドレス等の付属情報が入力されると、そのプリント装置１０Ａは、受取人の住所又は電話番号に基づいて受取人の最寄りのプリント装置１０Ｂを選定し、その選定したプリント装置１０Ｂにネットワーク１２を介して画像情報等を転送する。プリント装置１０Ｂでは、転送された画像情報に基づいて写真プリントをプリント出力し、プリント終了後に電話又は電子メールにより受取人に写真プリントの受取りを促す通知を行う。【選択図】      図１
2006004360.tif 000002
【特許請求の範囲】
【請求項１】
各地に設置された複数のプリント装置であって、それぞれネットワークを介して通信可能なプリント装置によって写真プリントをプリント出力するプリント方法において、
利用者の記録メディアから画像情報を入力するとともに、該画像情報に対応する写真プリントの受取人の住所、電話番号及びメールアドレスのうちの少なくとも１つを含む付属情報を入力する工程と、
前記入力した付属情報に基づいて前記複数のプリント装置のうちから前記受取人の最寄りのプリント装置を検索する工程と、
前記画像情報及び付属情報を入力したプリント装置から前記検索したプリント装置に前記画像情報及び付属情報をネットワークを介して転送する工程と、
前記転送を受けたプリント装置により前記転送された画像情報に基づいて写真プリントをプリント出力する工程と、
前記写真プリントのプリント終了後に前記付属情報に基づいて受取人に写真プリントの受取りを促す通知を行う工程と、
を含むことを特徴とするプリント方法。
【請求項２】
前記記録メディアには画像情報とともに付属情報が登録され、前記入力する工程は、前記記録メディアから画像情報及び付属情報を読み込むことを特徴とする請求項１に記載のプリント方法。
【請求項３】
前記入力した画像情報に基づいて画像の一覧を表示する工程と、前記画像の一覧を見ながらプリントする画像を選択する工程とを有し、前記転送する工程は、前記選択された画像情報とその画像情報に付属する付属情報とを転送することを特徴とする請求項１又は２に記載のプリント方法。
【請求項４】
各地に設置された複数のプリント装置であって、それぞれネットワークを介して通信可能なプリント装置によって写真プリントをプリント出力するプリントシステムにおいて、
各プリント装置は、
利用者の記録メディアから画像情報を入力するとともに、該画像情報に対応する写真プリントの受取人の住所、電話番号及びメールアドレスのうちの少なくとも１つを含む付属情報を入力する情報入力手段と、
前記入力した付属情報に基づいて前記複数のプリント装置のうちから前記受取人の最寄りのプリント装置を検索する検索手段と、
前記検索したプリント装置に前記入力した画像情報及び付属情報をネットワークを介して転送するとともに、他のプリント装置からネットワークを介して転送された画像情報及び付属情報を受信する通信手段と、
他のプリント装置から転送された画像情報に基づいて写真プリントをプリント出力するプリント手段と、
前記プリント手段での写真プリントのプリント終了後に前記画像情報とともに転送された付属情報に基づいて受取人に写真プリントの受取りを促す通知を行う通知手段と、
を備えたことを特徴とするプリントシステム。
【請求項５】
前記記録メディアには画像情報とともに付属情報が登録され、前記情報入力手段は、前記記録メディアから画像情報及び付属情報を読み込むメディアリーダを含むことを特徴とする請求項４に記載のプリントシステム。
【請求項６】
前記情報入力手段は、前記付属情報を入力する操作手段を含むことを特徴とする請求項４に記載のプリントシステム。
【請求項７】
前記情報入力手段から入力した画像情報に基づいて画像の一覧を表示する画像表示手段と、前記画像の一覧を見ながらプリントする画像を選択するための選択手段とを有し、前記通信手段は、前記選択された画像情報とその画像情報に付属する付属情報とを転送することを特徴とする請求項４に記載のプリントシステム。
【請求項８】
前記通知手段は、前記付属情報の電話番号又はメールアドレスに基づいて写真プリントの受取りを促す電話をかけ、又は電子メールを送信することを特徴とする請求項４に記載のプリントシステム。
【発明の詳細な説明】
【技術分野】
【０００１】
本発明はプリント方法及びプリントシステムに係り、特に遠距離の人に写真プリントを簡単に送ることが可能なプリント方法及びプリントシステムに関する。
【背景技術】
【０００２】
現在、銀塩カメラの代わりにデジタルカメラ或いはカメラ機能付き携帯電話で撮影する機会が多くなり、これらの装置で撮影されたデジタル画像が世の中に受け入れられている。これらの装置で撮影されたデジタル画像は専らパーソナルコンピュータ（パソコン）のモニタ上やテレビ上で見られることが多く、プリントして楽しむ機会が少なくなっている。
【０００３】
その原因の一つは、フイルムと違って現像することなく、撮影したら直ちに撮影装置やパソコンで見ることができ、プリントする必要性を感じないからであり、もう一つは、プリントする手間と時間が非常にかかるからであると考えられる。
【０００４】
一方、従来の銀塩カメラに親しんだ比較的高年齢の人や、パソコンに対して拒否反応を示す人などはデジタル画像でもプリントして楽しんでいる。しかしながら、プリントするには従来と同じく写真店や取次店でプリントを依頼するか、コンビニエンスストア（コンビニ）等の店頭に設置されているプリント装置でプリントすることができるが、やはり時間がかかり、煩雑であるという問題がある。
【０００５】
更に、デジタル画像で簡便性が高いにもかかわらず、画像を送りたい相手がパソコン等を持っていない場合はプリントした画像を送ることになり、煩雑さが従来の銀塩写真と何ら変わりがないという問題がある。
【０００６】
引用文献１には、コンビニ等の店頭に設置されたプリント装置で写真プリントをプリントアウトする際に、写真プリントが仕上がるまでプリント装置の前から離れることができるプリントシステムが記載されている。このプリントシステムには、プリントすべき画像とともに、連絡先として電話番号又は電子メールアドレスが入力されており、プリントシステムは、プリントが終了すると、入力された連絡先にプリント終了の旨を通知する。これにより、利用者は、プリントシステムが設置された場所に戻って写真プリントを受け取ることができ、プリント終了までの時間を有効に利用することができる。
【０００７】
また、引用文献２には、携帯電話等の顧客端末からアップロードされた画像をプリントするプリントシステムが記載されている。このプリントシステムでは、顧客端末から画像データ、コンビニ等の受取先、受取時刻を含むプリント注文データがプリントサーバに送信され、プリントサーバは、受取先に合うラボを選択して画像データを転送する。ラボでプリントされた写真プリントは、指定された受取先に配送便にて配送される。
【特許文献１】特開２００２−１２３３７５号公報
【特許文献２】特開２００１−２６５５５３号公報
【発明の開示】
【発明が解決しようとする課題】
【０００８】
特許文献１に記載のプリントシステムの場合、プリント終了の連絡を受けた利用者は、プリント注文した場所に戻って写真プリントを受け取らなければならず、また、利用者以外の第三者（友人や祖父母等）に写真プリントを送る場合には、郵便や宅配便で送る手間や費用がかかるという問題がある。
【０００９】
特許文献２に記載のプリントシステムは顧客端末が必要であり、また、写真プリントはラボから受取先に配送便にて配送されるため、配送便の運行状況や道路の混雑状況により必ずしも最短で写真プリントを受け取ることができないという問題がある。更に、利用者以外の第三者が写真プリントを受け取ることができるシステムになっていない。
【００１０】
本発明はこのような事情に鑑みてなされたもので、遠距離の受取人などに写真プリントを送る際に、郵便や宅配便で送る手間や費用が不要であり、かつプリント注文から写真プリントの受取りまでの時間を短くすることができるプリント方法及びプリントシステムを提供することを目的とする。
【課題を解決するための手段】
【００１１】
前記目的を達成するために請求項１に係る発明は、各地に設置された複数のプリント装置であって、それぞれネットワークを介して通信可能なプリント装置によって写真プリントをプリント出力するプリント方法において、利用者の記録メディアから画像情報を入力するとともに、該画像情報に対応する写真プリントの受取人の住所、電話番号及びメールアドレスのうちの少なくとも１つを含む付属情報を入力する工程と、前記入力した付属情報に基づいて前記複数のプリント装置のうちから前記受取人の最寄りのプリント装置を検索する工程と、前記画像情報及び付属情報を入力したプリント装置から前記検索したプリント装置に前記画像情報及び付属情報をネットワークを介して転送する工程と、前記転送を受けたプリント装置により前記転送された画像情報に基づいて写真プリントをプリント出力する工程と、前記写真プリントのプリント終了後に前記付属情報に基づいて受取人に写真プリントの受取りを促す通知を行う工程と、を含むことを特徴としている。
【００１２】
即ち、ネットワークで接続された複数のプリント装置のうちの或るプリント装置で画像情報や付属情報が入力されると、そのプリント装置は、画像情報とともに入力された付属情報のうちの受取人の住所又は電話番号に基づいて受取人の最寄りのプリント装置を選定し、その選定したプリント装置にネットワークを介して画像情報等を転送する。画像情報等の転送を受けたプリント装置では、転送された画像情報に基づいて写真プリントをプリント出力し、プリント終了後に付属情報に基づいて受取人に写真プリントの受取りを促す通知を行う。
【００１３】
これにより、プリント注文主である利用者が、遠距離の受取人などに写真プリントを送る場合、画像情報とともに受取人の住所等の付属情報を入力すればよく、受取人の最寄りのプリント装置から受取りを促す通知を受けた受取人が受け取りにいくことにより、郵便や宅配便で送る手間や費用が不要となり、また、画像情報等がネットワークを介して転送されるため、プリント注文から写真プリントの受取りまでの時間を短くすることができる。尚、受取人は利用者本人でもよく、例えば旅行先等のプリント装置で画像情報等を入力し、自宅近くのプリント装置で写真プリントを受け取ることができる。また、１つの画像情報に対して複数の受取人の付属情報を入力することにより、それぞれの受取人の最寄りのプリント装置で同時に写真プリントをプリントアウトし、かつそれぞれの受取人に写真プリントの受取りを促す通知を行うこともできる。
【００１４】
請求項２に示すように請求項１に記載のプリント方法において、前記記録メディアには画像情報とともに付属情報が登録され、前記入力する工程は、前記記録メディアから画像情報及び付属情報を読み込むことを特徴としている。これによれば、プリント装置での付属情報の入力が簡便になる。
【００１５】
請求項３に示すように請求項１又は２に記載のプリント方法において、前記入力した画像情報に基づいて画像の一覧を表示する工程と、前記画像の一覧を見ながらプリントする画像を選択する工程とを有し、前記転送する工程は、前記選択された画像情報とその画像情報に付属する付属情報とを転送することを特徴としている。
【００１６】
請求項４に係る発明は、各地に設置された複数のプリント装置であって、それぞれネットワークを介して通信可能なプリント装置によって写真プリントをプリント出力するプリントシステムにおいて、各プリント装置は、利用者の記録メディアから画像情報を入力するとともに、該画像情報に対応する写真プリントの受取人の住所、電話番号及びメールアドレスのうちの少なくとも１つを含む付属情報を入力する情報入力手段と、前記入力した付属情報に基づいて前記複数のプリント装置のうちから前記受取人の最寄りのプリント装置を検索する検索手段と、前記検索したプリント装置に前記入力した画像情報及び付属情報をネットワークを介して転送するとともに、他のプリント装置からネットワークを介して転送された画像情報及び付属情報を受信する通信手段と、他のプリント装置から転送された画像情報に基づいて写真プリントをプリント出力するプリント手段と、前記プリント手段での写真プリントのプリント終了後に前記画像情報とともに転送された付属情報に基づいて受取人に写真プリントの受取りを促す通知を行う通知手段と、を備えたことを特徴としている。
【００１７】
前記検索手段は、入力した付属情報に基づいて各地の写真店、取次店、コンビニ等に設置されている複数のプリント装置のうちから前記付属情報の受取人の住所等から受取人の最寄りのプリント装置を検索する。尚、検索手段は、プリント装置内で転送先のプリント装置を検索する場合に限らず、各地のプリント装置を管理する管理センタにネットワークを介して付属情報を送信し、該管理センタから最寄りのプリント装置の情報を入手するようにしてもよい。
【００１８】
請求項５に示すように請求項４に記載のプリントシステムにおいて、前記記録メディアには画像情報とともに付属情報が登録され、前記情報入力手段は、前記記録メディアから画像情報及び付属情報を読み込むメディアリーダを含むことを特徴としている。
【００１９】
請求項６に示すように請求項４に記載のプリントシステムにおいて、前記情報入力手段は、前記付属情報を入力する操作手段を含むことを特徴としている。この場合には、記録メディアに付属情報を登録しなくてもよい。前記操作手段としては、操作卓やタッチパネル等が適用される。
【００２０】
請求項７に示すように請求項４に記載のプリントシステムにおいて、前記情報入力手段から入力した画像情報に基づいて画像の一覧を表示する画像表示手段と、前記画像の一覧を見ながらプリントする画像を選択するための選択手段とを有し、前記通信手段は、前記選択された画像情報とその画像情報に付属する付属情報とを転送することを特徴としている。
【００２１】
請求項８に示すように請求項４に記載のプリントシステムにおいて、前記通知手段は、前記付属情報の電話番号又はメールアドレスに基づいて写真プリントの受取りを促す電話をかけ、又は電子メールを送信することを特徴としている。即ち、プリント装置は、電話機能又は電子メール機能を有し、写真プリントのプリントアウトが終了すると、自動的に受取人に電話をかけ、又は電子メールを送信する。
【発明の効果】
【００２２】
本発明によれば、画像情報とともに入力した住所等の受取人の付属情報に基づいて画像情報等を入力したプリント装置から前記受取人の最寄りのプリント装置に画像情報等を転送し、ここで写真プリントをプリントアウトできるようにし、プリント終了後に付属情報に基づいて受取人に写真プリントの受取りを促す通知を行うようにしたため、遠距離の受取人などに写真プリントを送る際に、郵便や宅配便で送る手間や費用が不要となり、また、画像情報等がネットワークを介して転送されるため、プリント注文から写真プリントの受取りまでの時間を短くすることができる。
【発明を実施するための最良の形態】
【００２３】
以下添付図面に従って本発明に係るプリント方法及びプリントシステムの好ましい実施の形態について詳説する。
【００２４】
図１は本発明に係るプリントシステムの全体構成図である。同図に示すように、このプリントシステムは、各地のコンビニ、電器店等の店頭などに設置されている複数のプリント装置１０、１０Ａ、１０Ｂ…と、これらのプリント装置１０、１０Ａ、１０Ｂ…とネットワーク１２を介して接続されている管理センタ２０とから構成されている。
【００２５】
プリント装置１０は、利用者の記録メディアから読み込んだ画像情報に基づいてプリントサービスを行うもので、或るプリント装置１０Ａで画像情報の他に受取先の情報を含む付属情報を入力し、受取先の最寄りのプリント装置１０Ｂに画像情報等を転送し、受取先のプリント装置１０Ｂは、転送された画像情報に基づいて写真プリントをプリント出力し、プリント終了後に受取人に写真プリントの受取りを促す通知を行うものである。
【００２６】
管理センタ２０は、複数のプリント装置１０、１０Ａ、１０Ｂ…を一元管理するもので、複数のプリント装置１０の設置場所に関する住所、電話番号等の情報や全国の住所、地図等を含むデータベース２２を含み、プリント装置１０からの受取人の最寄りプリント装置の問い合わせに対して、最寄りのプリント装置を検索し、そのプリント装置の情報を提供する。また、各プリント装置１０の運営者が異なる場合には、プリント注文を受け付けたプリント装置１０の設置者と、写真プリントをプリントアウトしたプリント装置１０の設置者とにプリント料金を分配し、その情報を課金データベース（図示せず）で管理する。
【００２７】
図２はプリント装置１０の内部構成を示すブロック図である。同図に示すように、プリント装置１０には、スマートメディア、ｘＤピクチャーカード、メモリースティック、コンパクトフラッシュなどの記録メディアが挿入されるメディアリーダ１０２及びメディア・インターフェース１０４と、タッチパネル付きモニタ１０６と、操作卓１０７と、各プリント装置１０や管理センタ２０との間で必要な情報を送受信することが可能な通信回線インターフェース１０８とが設けられている。
【００２８】
前記タッチパネル付きモニタ１０６には、メディアリーダ１０２に挿入された記録メディアに記録されている画像の一覧や、タッチパネルで操作するための操作ボタン等が表示される。
【００２９】
また、プリント装置１０には、プリント装置１０の全体の制御を行う中央処理装置（ＣＰＵ）１１０と、ＣＰＵ１１０を動作させるプログラム等が書き込まれているＲＯＭとＣＰＵ１１０が処理を実行する際の作業領域となるＲＡＭとから構成されるシステムメモリ１１２と、タッチパネル付きモニタ１０６に表示する情報を出力する表示コントローラ１１４と、タッチパネル付きモニタ１０６を用いてプリントしたい画像の選択、枚数（デフォルトは１枚）などのプリント設定情報等を入力する入力コントローラ１１６とが設けられている。
【００３０】
また、プリント装置１０には、メディアリーダ１０２に挿入された記録メディアや通信回線インターフェース１０８を介して取り込んだ画像等の情報やプリント設定情報等を一時的に格納するストレージ１１８と、プリント設定情報に基づいてストレージ１１８に格納された画像をプリントするプリントエンジン１２０と、コインマシン１２２とが設けられている。
【００３１】
次に、上記プリント装置１０を含むプリントシステムの動作について説明する。
【００３２】
図３はプリントシステムでの画像入力作業の手順を示すフローチャートである。
【００３３】
プリント装置１０のタッチパネル付きモニタ１０６には、通常、記録メディアの挿入指示が表示されている（ステップＳ１０）。デジタルカメラやカメラ付き携帯電話等の記録メディアがメディアリーダ１０２に挿入されると（ステップＳ１２）、その記録メディアから画像情報とその画像情報に付属する付属情報とを読み込む（ステップＳ１４）。
【００３４】
ここで、記録メディアから読み込む情報の一例を図４に示す。同図に示すように、デジタルカメラで撮影された画像情報に対し、保有者情報（撮影者情報）並びに写真プリントを提供したい人物・組織などの受取人情報を含む付属情報が記録できるようになっている。上記保有者情報及び受取人情報は、それぞれ電話番号、住所、及びメールアドレスを含んでいる。尚、携帯電話にはアドレス帳があるため、画像情報とアドレス帳から選択した受取人情報とを対応させることで、図４に示した情報を記録メディアに記録するようにしてもよい。また、１枚の写真プリントの受取人が複数の場合には、複数の受取人情報を記録することもできる。
【００３５】
また、記録メディアからは画像情報を読み込み、付属情報は、タッチパネル付きモニタ１０６や操作卓１０７を使用して入力するようにしてもよい。更に、各画像情報ごとに付属情報を登録してもよいし、複数の画像情報に対して付属情報を一括して登録するようにしてもよい。
【００３６】
記録メディアから画像情報と付属情報の読み込みが終了すると、タッチパネル付きモニタ１０６には、記録メディアの抜取り指示が表示される（ステップＳ１８）。記録メディアがメディアリーダ１０２から抜き取られると（ステップＳ２０）、タッチパネル付きモニタ１０６には、別の記録メディアの挿入指示が表示される（ステップＳ２２）。
【００３７】
ここで、別の記録メディアの挿入が確認されると（ステップＳ２２）、ステップＳ１４に戻り、再度、画像情報及び付属情報の読み込みが行われる。一方、記録メディアの挿入が終了した場合（即ち、別の記録メディアが存在しない場合、又は全ての記録メディアからの情報の読み込みが終了した場合（ステップＳ２４））には、入力画像表示順番の選択が行われる（ステップＳ２６）。
【００３８】
図５は入力画像表示順番の選択操作を示す図である。同図に示すように、タッチパネル付きモニタ１０６には、表示順番の選択を指示するメニューが表示される（ステップＳ３０）。ここで、記録日時順、記録時間帯順、ファイルサイズ順、カメラの種類順、連絡先順等を選択することができ（ステップＳ３１〜Ｓ３５）、選択した項目にしたがって配列した縮小画像（サムネイル画像）の一覧を表示させることができるようになっている（ステップＳ３６〜Ｓ４０）。また、入力画像表示順番の選択を行わない場合には、プリント装置１０に入力した画像順にサムネイル画像の一覧が表示される（ステップＳ４１）。
【００３９】
次に、プリント装置１０では、プリント条件の入力作業が行われる。
【００４０】
図６に示すように、まず、プリント内容の入力作業が行われる（ステップＳ５０）。即ち、タッチパネル付きモニタ１０６に表示されたサムネイル画像の一覧上で所望の画像にタッチすることにより、プリント出力する画像を選択し、１つの画像について２枚以上プリントする場合には、その枚数の入力を行う。また、記録メディアから保有者や受取人の住所、電話番号、メールアドレスなどの付属情報が読み込まれていない場合には、操作卓１０７を使用して付属情報を入力する。
【００４１】
プリント内容の入力が終了すると（ステップＳ５２）、そのプリント内容に対する課金が要求され、コインマシン１２２に投入された金額が上記課金額以上であることが確認されると、金額の精算が行われる（ステップＳ５４）。
【００４２】
課金処理が終了すると、続いてプリント内容の転送先のプリント装置１０を決定する（ステップＳ５６）。
【００４３】
図７に示すように保有者（撮影者）、又は保有者以外の受取人（例えば、友人、祖父母など）のいずれに写真プリントを送るかを選択する（ステップＳ６０）。尚、両方を選択することも可能である。
【００４４】
保有者以外の受取人が選択されると、図４に示した受取人情報に基づいて転送先のプリント装置が決定され（ステップＳ６２）、保有者が選択されると、保有者情報に基づいて転送先のプリント装置が決定される（ステップＳ６４）。即ち、入力元のプリント装置１０は、保有者、受取人の住所、電話番号、メールアドレスなどの付属情報を管理センタ２０に送信する。管理センタ２０では、保有者又は受取人のうちの前記選択された人の住所又は電話番号からその人の最寄りのプリント装置１０をデータベース２２から検索し、この検索したプリント装置１０を転送先のプリント装置として入力元のプリント装置１０に通知する。
【００４５】
転送先のプリント装置１０が決定されると、入力元のプリント装置１０は、画像情報及び付属情報を前記決定した転送先のプリント装置１０に転送する（ステップＳ５８）。尚、転送先のプリント装置１０が入力元のプリント装置１０と同じ場合には、上記情報の転送は行われない。
【００４６】
図８に示すように、転送先のプリント装置１０は、入力元のプリント装置１０からネットワーク１２を介して画像情報及び付属情報を受信すると、受信した全ての情報は一旦、ストレージ１１８に格納される（ステップＳ７０）。そして、受信が終了すると、ストレージ１１８に格納された画像情報に基づいてプリントエンジン１２０によりプリント処理が行われ、プリント出力された写真プリントは、プリント装置１０が設置された店員のみが取出可能なトレーに排出される（ステップＳ７２）。また、写真プリントの裏面には、受取人情報や受付番号等も同時にプリントすることが好ましい。
【００４７】
続いて、受信した全ての画像のプリントが終了したか否かを判別し（ステップＳ７４）、プリントが終了すると、プリント装置１０は、画像情報とともに受信した付属情報に含まれる電話番号又はメールアドレスに基づいて受取人に写真プリントの受取りを促す通知を、電話か電子メール或いは両方で行う（ステップＳ７６）。この場合、誰から送られた写真プリントか、また、写真プリントを受け取る際の情報となる受付番号を同時に通知することが好ましい。
【００４８】
尚、この実施の形態では、複数のプリント装置を一元管理している管理センタ２０で転送先のプリント装置を検索するようにしているが、これに限らず、各プリント装置が検索機能を有していてもよく、この場合、プリントシステムから管理センタを省略することができる。また、記録メディアからメディアリーダ１０２を介して画像情報等を読み込むようにしたが、ＩｒＤＡ（Infrared Data Association ）規格の赤外線通信手段や、近距離及び低消費電力の通信を目的としたブルートゥース(Bluetooth) 規格の無線通信手段等を介して取り込むようにしてもよい。
【図面の簡単な説明】
【００４９】
【図１】図１は本発明に係るプリントシステムの全体構成図である。
【図２】図２はプリントシステムを構成する各プリント装置の内部構成を示すブロック図である。
【図３】図３はプリントシステムでの画像入力作業の手順を示すフローチャートである。
【図４】図４は記録メディアから読み込む情報の一例を示す図である。
【図５】図５は入力画像表示順番の選択操作を示す図である。
【図６】図６はプリント条件入力作業を示す図である。
【図７】図７は画像情報等を転送するプリント装置を決定する処理を説明するために用いた図である。
【図８】図８は転送先のプリント装置の処理を説明するために用いた図である。
【符号の説明】
【００５０】
１０、１０Ａ、１０Ｂ…プリント装置、１２…ネットワーク、２０…管理センタ、１０２…メディアリーダ、１０６…タッチパネル付きモニタ、１０７…操作卓、１０８…通信回線インターフェース、１１０…中央処理装置（ＣＰＵ）、１１２…システムメモリ、１１８…ストレージ、１２０…プリントエンジン、１２２…コインマシン
【図１】
2006004360.tif 000003
【図２】
2006004360.tif 000004
【図３】
2006004360.tif 000005
【図４】
2006004360.tif 000006
【図５】
2006004360.tif 000007
【図６】
2006004360.tif 000008
【図７】
2006004360.tif 000009
【図８】
2006004360.tif 000010